(57)【要約】【課題】処理草を事前に前屈状態に姿勢変更させた状態でフレールモアに接触させることで、安定した作業性を維持するとともに、フレールモアの回転軸の軸周に草が巻き付くことを抑制すること。【解決手段】本発明に係る草刈り機１は、走行機体２の前進方向前側に設けられた草を刈り取るフレールモア３を備え、上記走行機体２の前進方向における上記フレールモア３の前側に配置され、上記走行機体２の幅方向における上記フレールモア３の作業幅に対応した幅を有し、かつ、上記草を事前に前屈状態に姿勢変更可能な回転ローラ１０を具備してなる。【選択図】  図１
2011229487.tif 000002
【特許請求の範囲】
【請求項１】
走行機体の前進方向前側に設けられ、草を刈り取るフレールモアを備えた草刈り機であって、
前記走行機体の前進方向における前記フレールモアの前側に配置され、前記走行機体の幅方向における前記フレールモアの作業幅に対応した幅を有し、かつ、前記草を事前に前屈状態に姿勢変更可能な前処理手段を具備してなること、
を特徴とする草刈り機。
【請求項２】
前記前処理手段は、前記走行機体の前進方向で前記フレールモアより前側に配置されるとともに、前記走行機体の幅方向に沿って配置され、前記走行機体の走行に起因して回転しながら前記土壌の草を押さえつける回転ローラを具備すること、
を特徴とする請求項１記載の草刈り機。
【請求項３】
前記回転ローラは、前記走行機体の走行に起因して回転する回転体と、前記走行機体に着脱可能に設けられ、前記回転体を回転可能に支持するフレーム体と、を備え、
前記フレーム体は、前記回転体を前記走行機体の上下方向で調節可能な調節機構を具備すること、
を特徴とする請求項２記載の草刈り機。
【請求項４】
前記調節機構は、前記回転体を前記走行機体の上下方向で往復動可能に調節する第１の調節手段と、前記第１の調節手段で調節した前記回転体の上下方向での位置を微調節する第２の調節手段と、具備すること、
を特徴とする請求項３記載の草刈り機。
【発明の詳細な説明】
【技術分野】
【０００１】
本発明は、走行機体の前進方向前側にフレール式の刈刃構造を備えた草刈り機に関する。
【背景技術】
【０００２】
従来、走行機体の前進方向前側にフレール式の刈刃構造を備えた草刈り機として、水平回転軸の軸周に自由にスイングできる多数の刈刃を所定の配列に沿ってピン止めした構造（以下、フレールモアという。）が一般的に知られている。
【０００３】
このフレールモアを備えた草刈り機は、走行機体の走行中に、フレールモアをアップカット方式により回転させることで、地上に群生した野草、雑草、葦などの草本類（以下、処理草という。）を、地上面に接近した根本で叩き切るようにして刈り倒すものである。
【０００４】
この草刈り機は、上述したように、フレールモアにより、地上に群生した処理草を直接的に刈り倒すものであるが、例えば、葦のように草丈がまばらなものを刈り倒す場合、処理草の植立状態に応じてフレールモアにかかる刈り倒し負荷が大きく変化してしまい、安定した作業性を維持することができない場合があった。また、草丈が長い場合、草丈の先端部分がフレールモアの回転軸の軸周に巻き付いてしまう場合があった。
【０００５】
そこで、例えば、特許文献１には、左右の回転ドラムの最内側の外周部に回転ドラムと一体に形成され、外観が皿状をなし、凹部側が伝動ケース側を向いて設けられた巻付き防止部材を具備する刈取用作業機が開示されている。
【先行技術文献】
【特許文献】
【０００６】
【特許文献１】特開２００１−１６１１３６号公報
【発明の概要】
【発明が解決しようとする課題】
【０００７】
しかしながら、上記特許文献１は、フレールモアにより刈り倒される処理草の先端部分が、フレールモアの回転軸の軸周に接触することを抑止したものではないため、回転軸の軸周に巻き付いてしまうという技術的課題がある。
【０００８】
また、上記特許文献１は、フレールモアが地上に群生した処理草を直接的に刈り倒すものであり、上述したように、処理草の植立状態に応じてフレールモアにかかる刈り倒し負荷が大きく変化してしまい、安定した作業性を維持することができないという技術的課題がある。
【０００９】
本発明の目的は、上記従来の実状に鑑みて、処理草を事前に前屈状態に姿勢変更させてフレールモアに接触させることで、安定した作業性を維持することが可能であるとともに、フレールモアの回転軸の軸周に処理草が巻き付くことを抑制することが可能な草刈り機を提供することにある。
【課題を解決するための手段】
【００１０】
このような課題を解決するため、本発明に係る草刈り機は、走行機体の前進方向前側に設けられ、草を刈り取るフレールモアを備え、上記走行機体の前進方向における上記フレールモアの前側に配置され、上記走行機体の幅方向における上記フレールモアの作業幅に対応した幅を有し、かつ、上記草を事前に前屈状態に姿勢変更可能な前処理手段を具備してなる。この前処理手段は、上記走行機体の前後方向で上記フレールモアより前側に配置されるとともに、上記走行機体の幅方向に沿って配置され、上記走行機体の走行に起因して回転しながら上記草を押し倒す回転ローラにより構成されている。
【発明の効果】
【００１１】
本発明によれば、処理草を事前に前屈状態に姿勢変更させてフレールモアに接触させることで、安定した作業性を維持することが可能であるとともに、フレールモアの回転軸の軸周に処理草が巻き付くことを抑制することが可能な草刈り機を提供することができる。
【図面の簡単な説明】
【００１２】
【図１】本発明の一実施の形態に係る草刈り機の構成を模式的に示す斜視図である。
【図２】本発明の一実施の形態に係る草刈り機の回転ローラの構成を模式的に示す斜視図である。
【図３】本発明の一実施の形態に係る草刈り機の使用状態を模式的に示す斜視図である。
【発明を実施するための形態】
【００１３】
以下、図面を参照しながら、本発明の実施の形態について詳細に説明する。まず、本実施の形態の草刈り機１の構成について図１及び図２を用いて説明する。図１は、本発明の一実施の形態に係る草刈り機１の構成を模式的に示す斜視図であり、図２は、本発明の一実施の形態に係る草刈り機１の回転ローラ１０の構成を模式的に示す斜視図である。
【００１４】
図１及び図２に例示されるように、本実施の形態の草刈り機１は、土壌を走行する走行機体２の前進方向前側に設けられ、土壌に生育する処理草を刈り取るフレールモア３を備えて構成されている。このフレールモア３は、図示しない伝動ケースの左右に配設された回転ドラム３ａと、この回転ドラム３ａの外周面に取り付けられた刈刃３ｂとを備えて構成されている。
【００１５】
すなわち、フレールモア３は、伝動ケースの内部に設けられた駆動源の駆動に起因して回転ドラム３ａが回転することで、この回転ドラム３ａの外周面に取り付けられた刈刃３ｂで処理草を叩き切るようにして刈り倒す役目を果たしている。
【００１６】
本実施の形態において、草刈り機１の走行機体２には、この走行機体２の前進方向におけるフレールモア３の前側に配置され、走行機体２の幅方向におけるフレールモア３の作業幅に対応した幅を有し、処理草を事前に前屈状態に姿勢変更可能な回転ローラ１０（前処理手段）が着脱可能に設けられている。
【００１７】
この回転ローラ１０は、走行機体２の幅方向に沿って配置され、走行機体２の走行に起因して回転する回転体２０と、この回転体２０を回転可能に支持するフレーム体３０とを備えて構成されている。つまり、走行機体２には、回転ローラ１０を構成するフレーム体３０が着脱可能に設けられ、このフレーム体３０に回転体２０が回転可能に支持されている。
【００１８】
本実施の形態のフレーム体３０は、走行機体２の前後方向に伸縮可能に張り出して配置され、上述したように、走行機体２に着脱可能に設けられている。具体的には、フレーム体３０は、このフレーム体３０を走行機体２に連結するための第１の棒状部材３１を備えて構成されている。
【００１９】
この第１の棒状部材３１は、走行機体２の上下方向に沿って配置されている。この第１の棒部材３１は、走行機体２の前後方向の前側に連結部材４２及び連結部材４３により着脱可能に連結されている。そして、第１の棒状部材３１には、走行機体２の前後方向に伸縮可能に張り出して設けられた第３の棒状部材３３及び第４の棒状部材３４が連結されている。
【００２０】
第３の棒状部材３３及び第４の棒状部材３４は、互いに平行に配置され、上述したように、走行機体２の前後方向に伸縮可能に設けられている。第３の棒状部材３３及び第４の棒状部材３４の他端側には、第２の棒状部材３２が上下動可能に支持されている。
【００２１】
具体的には、第１の連結部材３３及び第２の連結部材３４の他端部のそれぞれには、孔が形成されている。そして、この孔に連結部材３６及び連結部材３７を挿入して、これら連結部材３６及び連結部材３７を第２の棒部材３２に押しあてることで、第２の棒部材３２が固定されている。すなわち、連結部材３６及び連結部材３７を緩めることで、第２の棒部材３２を上下動させることが可能になり、連結部材３６及び連結部材３７を締めることで、第２の棒部材３２を固定することが可能になる（第１の調節手段）。
【００２２】
このため、第２の棒状部材３２を走行機体２の上下方向に沿って調節することが可能になる。このように、第２の棒状部材３２を走行機体２の上下方向に沿って調節することが可能になることで、回転体２０の位置を走行機体２の上下方向で調節することができる。
【００２３】
また、第２の棒状部材３２の上端部側には、レバー３５が設けられている。このレバー３５は、第２の棒状部材３２の内部で後述する挟持フレーム２１に連結されている。このため、使用者がレバー３５を回すことで、挟持フレーム２１と、この挟持フレーム２１に支持された回転体２０の走行機体２の上下方向での位置を微調節することができる（第２の調節手段。）。
【００２４】
このように、レバー３５を回すことで、回転体２０の走行機体２の上下方向での位置を微調節することができるため、単にレバー３５を回すだけで、容易に回転体２０の上下方向での位置を調節することができる。
【００２５】
また、第２の棒状部材３２の下端部側には、回転体２０を挟持して支持する挟持フレーム２１が設けられている。そして、挟持フレーム２１には、回転体２０が回転可能に支持されている。
【００２６】
本実施の形態において、回転体２０は、上述したように、走行機体２の幅方向に沿って配置されている。このため、回転体２０は、土壌面に対して走行機体２の幅方向上で接して設けられており、走行機体２の走行性を向上させている。
【００２７】
そして、回転体２０は、走行機体２の幅方向に沿って配設された複数の平板２４と、この複数の平板２４を支持する支持輪２２とを備えて構成されている。複数の平板２４は、回転体２０の回転方向に沿って等間隔に配設されている。このように、本実施の形態の回転ローラ１０の回転体２０は、複数の平板２４と、支持輪２２とにより構成されているため、軽量化を図ることができる。
【００２８】
なお、本実施の形態の回転体２０は、上述したように、複数の平板２４の両端を支持輪２２により支持して構成されているが、これに限定されず、例えば、円筒状をなして形成された筒部を回転体２０として用いても良い。
【００２９】
このように、本実施の形態の草刈り機１は、走行機体２に、回転ローラ１０を設けることで、処理草がフレールモア３に接触する前に前屈状態に姿勢変更され、処理草の根元部分が、フレールモア３に接触して刈り倒し作用を受けている。
【００３０】
このため、草刈り機１は、処理草の先端を前屈状態に姿勢変更させることで、草丈が長い処理草の刈り取り作業においても、処理草の先端部分がフレールモア３の回転ドラム３ａの軸周に巻き付くことを抑止することできる。
【００３１】
また、草刈り機１は、処理草の先端を前屈状態に姿勢変更させることで、処理草の根元部分のみが先行してフレールモア３に接触して刈り倒し作用を受けており、フレールモア３に作用する刈り倒し負荷が安定するようになり、処理草の影響をうけることなく安定した作業性を維持することできる。
【００３２】
次に、本実施の形態の草刈り機１の使用状態について、図３を用いて説明する。図３は、本発明の一実施の形態に係る草刈り機１の使用状態を模式的に示す斜視図である。
【００３３】
図３に例示されるように、本実施の形態の草刈り機１は、走行機体２を走行させながら、フレールモア３により処理草の根元を叩き切るようにして処理草を刈り取るものである。そして、草刈り機１は、走行機体２の前後方向のフレールモア３より前側に、走行機体２の走行に起因して回転しながら処理草を押さえつける回転ローラ１０が設けられている。
【００３４】
すなわち、本実施の形態の草刈り機１は、回転ローラ１０により処理草を押さえつけながら、走行している。そして、草刈り機１は、回転ローラ１０により押さえつけられた処理草を根元からフレールモア３により叩き切るようにして刈り取る。
【００３５】
このとき、処理草は、上述したように、回転ローラ１０により押さえつけられているので、フレールモア３に接触する前段階で先行して前屈状態に姿勢変更されている。そして、姿勢変更された処理草の根元にフレールモア３を接触させている。
【００３６】
このように、草刈り機１は、処理草を前屈状態に姿勢変更することで、草丈の長い処理草の草刈り作業においても、草丈の先端部分がフレールモア３の回転ドラム３ａの軸周に接触することなく作業することが可能になり、処理草がフレールモア３の回転ドラム３ａに巻き付くことを抑止することできる。
【００３７】
また、草刈り機１は、処理草を前屈状態に姿勢変更することで、処理草の先端部分のみが他の部分に先行してフレールモア３に接触している。すなわち、フレールモア３に作用する刈り倒し負荷が安定するようになり、処理草の影響を受けることなく安定した作業性を維持することができる。
【００３８】
したがって、本実施の形態の草刈り機１は、特に、背丈の高い草を刈り取る際、回転ローラ１０で草を押さえながら、フレールモア３により処理草を刈り倒すことで、処理草が回転ドラム３ａに巻き付くことを抑止することできる。
【００３９】
このとき、本実施の形態の回転ローラ１０の回転体２０は、走行機体２の幅方向に沿って配置されているため、土壌面に対して走行機体２の幅方向で支持している。このため、走行機体２の安定した走行性を向上させることができる。
【００４０】
なお、本実施の形態の草刈り機１は、上述したように、回転ローラ１０で草を押さえながらフレールモア３により草を粉砕しているため、回転ローラ１０により押さえることが可能なものであれば、背丈の高い草に限定されない。
【００４１】
以上のように、本実施の形態の草刈り機１によれば、処理草を事前に前屈状態に姿勢変更させてフレールモア３に接触させることで、安定した作業性を維持することができるとともに、フレールモア３の回転ドラム３ａの軸周に処理草が巻き付くことを抑制することができる。
【符号の説明】
【００４２】
１  草刈り機
２  走行機体
３  フレールモア
１０  回転ローラ
２０  回転体
２１  挟持フレーム
２２  支持輪
２３  回転軸
２４  平板
２５  連結部材
３０  フレーム体
３１  第１の棒状部材
３２  第２の棒状部材
３３  第３の棒状部材
３４  第４の棒状部材
３５  レバー
３６  連結部材
３７  連結部材
３８  連結部材
３９  連結部材
４０  連結部材
【図１】
2011229487.tif 000003
【図２】
2011229487.tif 000004
【図３】
2011229487.tif 000005